(57)【要約】【課題】高い洗浄性を有すると共に、洗い残しが無く、被洗浄面に傷を付ける事が無く、かつ、洗い上がりの優れた洗車機用洗浄ブラシを提供する。【解決手段】自動車洗浄用あるいは車両洗浄用の洗車機用洗浄ブラシのブラシ片において、前記洗車機用洗浄ブラシのブラシ片は、布帛、及び合成樹脂発泡体を有すると共に、少なくとも前記布帛、及び前記合成樹脂発泡体、あるいは布帛同士が溶着により接合されてあるものである。【選択図】図１
2007204022.tif 000002
【特許請求の範囲】
【請求項１】
自動車洗浄用あるいは車両洗浄用の洗車機用洗浄ブラシのブラシ片において、前記洗車機用洗浄ブラシのブラシ片は、布帛、及び合成樹脂発泡体を有すると共に、少なくとも前記布帛、及び前記合成樹脂発泡体、あるいは布帛同士が溶着により接合されてあることを特徴とする洗車機用洗浄ブラシのブラシ片。
【請求項２】
請求項１記載の構成よりなる洗車機用洗浄ブラシのブラシ片において、前記洗車機用洗浄ブラシのブラシ片は、前記布帛が前記合成樹脂発泡体の外面を覆った概袋状体に形成されてあることを特徴とする洗車機用洗浄ブラシのブラシ片。
【請求項３】
請求項１から２記載の構成よりなる洗車機用洗浄ブラシのブラシ片において、前記洗車機用洗浄ブラシを構成するブラシ片は、前記ブラシ片の少なくとも１つ以上に、空隙部が形成されてあることを特徴とする洗車機用洗浄ブラシのブラシ片。
【請求項４】
請求項３記載の構成よりなる洗車機用洗浄ブラシのブラシ片において、前記洗車機用洗浄ブラシを構成するブラシ片は、前記合成樹脂発泡体の表面に、前記合成樹脂発泡体及び前記布帛にて概ヒダ形状に形成された空隙部を有していることを特徴とする洗車機用洗浄ブラシのブラシ片。
【請求項５】
請求項４記載の構成よりなる洗車機用洗浄ブラシのブラシ片において、前記洗車機用洗浄ブラシを構成するブラシ片は、前記合成樹脂発泡体の表面に前記布帛のみにて概ヒダ形状に形成された空隙部を有していることを特徴とする洗車機用洗浄ブラシのブラシ片。
【請求項６】
請求項１から５記載の構成よりなる洗車機用洗浄ブラシのブラシ片において、前記洗車機用洗浄ブラシのブラシ片は、スリットが形成されてあることを特徴とする洗車機用洗浄ブラシのブラシ片。
【請求項７】
請求項１から６記載の構成よりなる洗車機用洗浄ブラシのブラシ片において、前記布帛の表面に起毛部が形成されてあることを特徴とする洗車機用洗浄ブラシのブラシ片。
【請求項８】
請求項１から７記載の構成よりなる洗車機用洗浄ブラシのブラシ片において、前記洗車機用洗浄ブラシのブラシ片は、ブラシ片の洗浄側近傍に１列以上の折り重ね部が形成されてあることを特徴とする洗車機用洗浄ブラシのブラシ片。
【請求項９】
請求項１から８のいずれか１項に記載の洗車機用洗浄ブラシのブラシ片が使用されてある洗車機用洗浄ブラシ。
【請求項１０】
駆動源、被洗浄面に散布する洗浄剤、水を噴出させるノズル、及び洗浄後の被洗浄面を乾燥させる乾燥手段を備えると共に、請求項９記載の洗車機用洗浄ブラシが搭載されてある洗車機。
【発明の詳細な説明】
【技術分野】
【０００１】  本発明は、自動車あるいは車両の外面の被洗浄面に付着した汚れ等を洗浄する為の洗車機に使用する洗浄ブラシのブラシ片、及びブラシ片を搭載した洗車機に関するものである。
【背景技術】
【０００２】  自動車あるいは車両の外面の被洗浄面に付着した汚れ等を洗浄する為の洗車機に使用する洗浄ブラシの洗浄ブラシ片、及び洗車機に関しては、例えば、特開２０００−７１９４９号公報において、車両洗浄体ユニットが提示されてある。前記車両洗浄体ユニットにおいては、不織布で形成された布ブラシの腰を持たせ、洗浄時の回転径を安定させ、適度な弾力で洗浄が行なえる。さらに、被洗浄面にブラシの接触が面接触となることで、洗浄性が高いという特徴を有する車両洗浄体ユニットが開示されてある。【０００３】  また、例えば、特開２００３−４８５２０号公報においては、車両洗浄体ユニットは布製ブラシ単体とスポンジ製ブラシ単体とが、軸心の方向で交互に配置されている洗浄ブラシの構造に関する技術が開示されてある。【０００４】
【特許文献１】  特開２０００−７１９４９号公報
【特許文献２】  特開２００３−４８５２０号公報
【発明の開示】
【発明が解決しようとする課題】
【０００５】  しかしながら、上記特開２０００−７１９４９号に開示されてある従来の布ブラシは、長方形形状に形成した２枚の布製のブラシ内に、補強シートを挟み込み、補強シート部の周囲を縫合し、長手方向で一体化して、袋状に形成した複数の布ブラシを取付部材の幅方向に直交して縫合されて取付けられてあるため、補強シートの角部等が被洗浄体に当たるとキズを付ける。また、縫製部の糸切れ、ほつれにより装備品の破損を発生させる。また、取付部材に布ブラシ縫製時にズレが発生しブラシ間に隙間が生じることで洗い残しができていた。【０００６】  また、上記特開２００３−４８５２０号に開示されてある前記洗浄体は、布製ブラシ体とスポンジ製ブラシ体を軸心方向に交互に配置されてあり、布製ブラシ体をスポンジ製ブラシ体で両側から挟み込むように形成されてあった。しかし、布とスポンジが単体で配置されてある為、洗浄時に各々独立してブラシ片が変形して動く。布はスポンジより洗浄力はあるが、腰が無い為、十分な洗浄力が発揮できない。スポンジは、布より腰はあるが、洗浄力が劣る為、洗い残しができていた。【０００７】  本発明は、上記従来の課題を解決するもので、高い洗浄性を有すると共に、洗い残しが無く、被洗浄面に傷を付ける事が無く、かつ、洗い上がりが優れていると共に、布帛の有する高い洗浄性を十分に発揮できる。また、ブラシ片の作製が容易で、ブラシ片のズレがなく、安価な洗車機用洗浄ブラシを提供することを目的としている。
【課題を解決するための手段】
【０００８】  そして、本発明は、上記のような課題を解決する為に、自動車洗浄用あるいは車両洗浄用の洗車機用洗浄ブラシのブラシ片において、前記ブラシ片は、布帛で合成樹脂発泡体を挟み込むように覆って、前記合成樹脂発泡体を芯材として溶着にて圧着された構成である。また、軸体、及び前記ブラシ片を有すると共に、前記ブラシ片は、前記軸体の外周面に取付部にて装着されてあり、前記取付部は、前記軸体の長手方向にたいして、複数個形成されてあるものである。【０００９】  また、第２の解決手段は、上記解決手段において、前記洗車機用洗浄ブラシのブラシ片は、布帛で合成樹脂発泡体を覆って、前記合成樹脂発泡体を芯材として概袋綴じ状に構成されてあるものである。【００１０】  また、第３の解決手段は、上記解決手段において、前記洗車機用洗浄ブラシのブラシ片は、布帛、及び合成樹脂発泡体からなり、前記布帛は、前記合成樹脂発泡体を覆って、少なくとも１つ以上の空隙部を有し、綴じ部にて概袋綴じ状に形成された構成であるものである。【００１１】  また、第４の解決手段は、上記解決手段において、前記洗車機用洗浄ブラシのブラシ片は、布帛、及び合成樹脂発泡体からなり、前記布帛は、前記合成樹脂発泡体を覆って、概ヒダ形状の空隙部を有して、１つのブラシ片の中で、少なくとも１つ以上の空隙部を有し、前記空隙部は、前記合成樹脂発泡体の表面に前記合成樹脂発泡体及び前記布帛にて概ヒダ形状に空隙部が形成された構成であるものである。【００１２】  また、第５の解決手段は、上記解決手段において、前記洗車機用洗浄ブラシのブラシ片は、布帛、及び合成樹脂発泡体からなり、前記布帛は、前記合成樹脂発泡体を覆って、概ヒダ形状の空隙部を有して、１つのブラシ片の中で、少なくとも１つ以上の空隙部を有し、前記空隙部は、前記合成樹脂発泡体の表面に前記布帛のみにて概ヒダ形状に空隙部が形成された構成であるものである。【００１３】  また、第６の解決手段は、上記解決手段において、前記洗車機用洗浄ブラシのブラシ片は、布帛で合成樹脂発泡体を覆って、前記合成樹脂発泡体を芯材として概袋綴じ状に構成されてあり、前記ブラシ片の面にスリットが形成されてあるものである。【００１４】  また、第７の解決手段は、上記解決手段において、前記洗車機用洗浄ブラシのブラシ片は、布帛の基布表面に起毛部がなされてあるもので形成された、概袋状ブラシ片で、合成樹脂発泡体を芯材で構成されてあるものである。【００１５】  また、第８の解決手段は、上記解決手段において、前記洗車機用洗浄ブラシのブラシ片は、ブラシ片の洗浄側近傍に１列以上の折り重ね部が形成されてあるものである。【００１６】  また、第９の解決手段は、第１から第８のいずれか１項に記載の前記洗車機用洗浄ブラシのブラシ片が使用されてある洗車機用洗浄ブラシであるものである。【００１７】  また、第１０の解決手段は、駆動源、被洗浄面に散布する洗浄剤、水を噴出させるノズル、及び洗浄後の被洗浄面を乾燥させる乾燥手段を備えると共に、第９の解決手段に記載の前記洗車機用洗浄ブラシのブラシ片が搭載されてある洗車機である。【００１８】  上記第１の解決手段による作用は、次の通りである。すなわち、洗車機用洗浄ブラシのブラ��片は、布帛、及び合成樹脂発泡体、あるいは布帛同士が溶着にて一体化されたブラシ片が形成されてある。被洗浄面にたいして、少なくとも布帛、又は、合成樹脂発泡体のいずれかが接触する。布帛、あるいは合成樹脂発泡体のみが接触した時は、布帛の有する洗浄性、合成樹脂発泡体の有する腰の強さが被洗浄面に付与される。また、溶着された布帛と合成樹脂発泡体が接触した時は、布帛の有する高い洗浄性、及び合成樹脂発泡体の有する腰の強さが同時に被洗浄面に付与される。また、布帛と合成樹脂発泡体を溶着することにより、布帛と合成樹脂発泡体は互いに溶融して一体的に接合される。また、例えば縫製糸の如くの異材質は形成されない。【００１９】  上記第２の解決手段による作用は、次の通りである。すなわち、洗車機用洗浄ブラシのブラシ片は、合成樹脂発泡体が概袋状の布帛の内部に包み込まれて形成されてある。ブラシ片を被洗浄面に接触させると、外面の布帛が接触する。この時、内部に合成樹脂発泡体があるので、被洗浄面に合成樹脂発泡体の腰の強さが間接的に付与される。また、概袋状になっているので、布帛のみが外面に形成される。よって、合成樹脂発泡体と布帛は剥離すること無く、一体的に形成されてある。【００２０】  上記第３の解決手段による作用は、次の通りである。すなわち、洗車機用洗浄ブラシのブラシ片は、概ヒダ状の空隙部を被洗浄面に接触させた時に、空隙部は、内部に空気層を有しているので、空隙部が被洗浄面に接触すると、空気層のヒダ状の空隙部が変形して衝撃を吸収する。よって、空隙部が接触する形態を採用できる。【００２１】  上記第４の解決手段による作用は、次の通りである。すなわち、洗車機用洗浄ブラシのブラシ片は、布帛、及び合成樹脂発泡体による概ヒダ形状の空隙部が連続して形成されてある。ヒダ状の空隙部が被洗浄面に接触すると、ヒダ状に連続して形成された空隙部が連続して変形し衝撃を吸収する。その為、被洗浄面に最適な負荷が加わる。また、キズが形成されない。布帛で形成されたブラシ片には合成樹脂発泡体が芯材として使用されてある。【００２２】  上記第５の解決手段による作用は、次の通りである。すなわち、洗車機用洗浄ブラシのブラシ片は、合成樹脂発泡体の表面に布帛のみにて概ヒダ形状の空隙部が連続して形成されてある。ヒダ状の空隙部が被洗浄面に接触すると、合成樹脂発泡体の腰の強さをもって布帛のみのヒダ形状を叩き付ける形状も採用できる。また、布帛のみのヒダ形状は、被洗浄面上にて、自在に形状が変形する。【００２３】  上記第６の解決手段による作用は、次の通りである。すなわち、洗車機用洗浄ブラシのブラシ片は、布帛で形成された概袋状のブラシ片にスリットが形成されてある。スリット部の角部が被洗浄面に接触する。また、布帛と合成樹脂発泡体のいずれかの角部が接触する。【００２４】  上記第７の解決手段による作用は、次の通りである。すなわち、洗車機用洗浄ブラシのブラシ片は、布帛の表面に起毛部が形成されてある。起毛部を有する布帛が洗浄面の細かな凹凸にたいして起毛部が接触する。また、起毛部が被洗浄面に接触すると、起毛が無い形態に比べて、より高い摩擦抵抗を発生する形態が採用される。【００２５】  上記第８の解決手段による作用は、次の通りである。すなわち、洗車機用洗浄ブラシのブラシ片は、布帛で形成された折り重ね部が洗浄側に形成されてある。その為、重心が外側に行く、また、遠心力を利用できる。よって、洗浄ブラシの回転時に、ブラシ片の根元部に比べて、洗浄側は重量が大となる折り重ね部を被洗浄面に接触する形態が採用できる。折り重ね部が無い形態と比べて、より高い遠心力が発生する。【００２６】  上記第９の解決手段による作用は、次の通りである。すなわち、第１から第８のいずれか１項に記載の前記洗車機用洗浄ブラシのブラシ片が使用されてある洗車機用洗浄ブラシを使用することができるので、洗い残しの無い、高い洗浄性を有する洗車機用洗浄ブラシを提供できる。【００２７】  上記第１０の解決手段による作用は、次の通りである。すなわち、第９の解決手段に記載された洗車機用洗浄ブラシが搭載された洗車機である。前記洗車機は、駆動源、被洗浄面に散布する洗浄剤、水を噴出させるノズル、及び洗浄後の被洗浄面を乾燥させる乾燥手段を備えている。搭載されてある洗車機用洗浄ブラシは、ブラシ片の形状変形を抑制できる高い耐久性を有している為、洗車機は、被洗浄面に汚れ等が強固に付着している時でも、汚れを掻き出して強力に除去できる高い洗浄性及び耐久性を有する事ができる。
【発明の効果】
【００２８】  本発明の洗車機用洗浄ブラシを構成するブラシ片は、布帛の有する高い洗浄性と合成樹脂発泡体の腰の強さを十分に発揮できる。洗車機用洗浄ブラシのブラシ片、及び洗車機用洗浄ブラシ、及び洗車機を提供できる。
【発明を実施するための最良の形態】
【００２９】  第１の発明は、前記洗車機用洗浄ブラシのブラシ片の構成は、布帛、及び合成樹脂発泡体からなり、前記布帛は、前記合成樹脂発泡体を覆って、綴じ部を有する概袋状に形成できる。また、布帛と布帛の間に合成樹脂発泡体を挟み付けることができる。また、布帛と合成樹脂発泡体を被洗浄面に当てることができる為、汚れ等が強固に付着している時でも、汚れを掻き出して強力に除去することができる。また、布帛の高い洗浄性と合成樹脂発泡体の腰の強さを与えられる。また、布帛と合成樹脂発泡体を溶着することにより、布帛と合成樹脂発泡体は互いに溶融して一体的に接合される。また、例えば、縫製糸の如くの異材質は形成され無い。また、溶着による接合は袋状、ヒダ状等、溶着箇所を変えることで種々なブラシ片の形状を製作できる。【００３０】  第２の発明は、前記洗車機用洗浄ブラシのブラシ片の構成は、布帛、及び合成樹脂発泡体からなり、前記合成樹脂発泡体が概袋状の前記布帛の内部に包み込まれて形成されてある。ブラシ片を被洗浄面に接触させると、外面の布帛が接触する。この時、ブラシ片内部に、合成樹脂発泡体があるので、洗浄面に合成樹脂発泡体の腰の強さが間接的に付与される。また、概袋状になっているので、布帛のみが外面に形成される。また、布帛と合成樹脂発泡体は剥離すること無く、一体的に形成される。被洗浄面に適度な弾力で柔軟性のあるソフトで好適な接触をさせることができる。【００３１】  第３の発明は、前記洗車機用洗浄ブラシのブラシ片の構成は、布帛、及び合成樹脂発泡体からなり、前記布帛は、前記合成樹脂発泡体を覆って、少なくとも１つ以上の概ヒダ形状の空隙部を有して構成されてある。概ヒダ形状の空隙部を被洗浄面に接触させた時に、空隙部は、内部に空気層を有しているので、空隙部が被洗浄面に接触すると、空気層のヒダ状の空隙部が変形して、衝撃を吸収する形態を採用できる。その為、被洗浄体にたいして、ソフトに接触させながら掻き出し効果が発生すると共に、キズを付ける事がない。また、被洗浄面にたいして、的確に接触させる事ができる。【００３２】  第４の発明は、前記洗車機用洗浄ブラシのブラシ片の構成は、布帛、及び合成樹脂発泡体からなり、前記布帛は、前記合成樹脂発泡体を覆って、１つのブラシ片の中に少なくとも１つ以上の概ヒダ形状の空隙部を有して形成されてある。概ヒダ形状の空隙部が連続して形成されてある為、概ヒダ形状の空隙部が被洗浄面に接触すると、ヒダ形状に連続して形成された空隙部が連続して変形し衝撃を吸収する。その為、被洗浄面に最適な負荷が加わる。また、キズが形成されない。布帛で形成されたブラシ片には合成樹脂発泡体が芯材として使用されてある。その為、合成樹脂発泡体の腰の強さと耐久性、布帛の持つ高い洗浄性を十分発揮できる。被洗浄体にたいして、空隙部が被洗浄面に適度な弾力で柔軟な接触をすることでキズを付ける事がなく掻き出し効果が発生する。【００３３】  第５の発明は、前記洗車機用洗浄ブラシのブラシ片の構成は、布帛、及び合成樹脂発泡体からなり、前記布帛は、前記合成樹脂発泡体を覆って、１つのブラシ片の中に少なくとも１つ以上の概ヒダ形状の空隙部を有して形成されてある。概ヒダ形状の空隙部は、合成樹脂��泡体の表面に布帛のみにてヒダ形状の空隙部が連続して形成されてある。ヒダ状の空隙部が被洗浄面に接触すると、合成樹脂発泡体の腰の強さを持って、布帛のみのヒダ形状を叩き付ける形状も採用できる。また、布帛のみのヒダ形状は、被洗浄面上にて、自在に形状が変形する。その為、被洗浄体にたいして、空隙部が被洗浄面に的確にソフトに接触することでキズを付ける事がなく、ヒダ状の面と先端のエッジ部で交互に接触する為、より多くの掻き出し効果が発生する。【００３４】  第６の発明は、前記洗車機用洗浄ブラシのブラシ片の構成は、布帛、及び合成樹脂発泡体からなり、前記布帛は、前記合成樹脂発泡体を覆って形成されてある。前記布帛で形成された概袋状のブラシ片には、面にスリットが形成されてある。その為、スリット部の角部が被洗浄面に接触する。また、布帛と合成樹脂発泡体のいずれかの角部が接触する。柔軟な腰が発生して、また、洗車時の回転時にブラシ片のスリット部が被洗浄面にたいして、合成樹脂発泡体の柔軟な腰と布帛の高い洗浄性が発生して、細部まで的確に接触させ適度な弾力で柔軟性のあるソフトで好適な洗浄をさせることができる。【００３５】  第７の発明は、前記洗車機用洗浄ブラシのブラシ片の構成は、布帛の表面に起毛部が形成されてある。その為、起毛部を有する布帛が被洗浄面の細かな凹凸にたいして、起毛部が接触する。また、起毛部が被洗浄面に接触すると、起毛が無い形態に比べて、より高い摩擦抵抗を発生する。被洗浄面たいして、起毛部がソフトに接触させながら摩擦抵抗により、掻き出し効果が発生すると共に、適度な弾力で柔軟性のある好適な接触をさせることができる。【００３６】  第８の発明は、前記洗車機用洗浄ブラシのブラシ片の構成は、布帛、及び合成樹脂発泡体からなり、前記布帛は、前記合成樹脂発泡体を覆って、ブラシ片の洗浄側近傍に１列以上の折り重ね部が形成されてある。その為、重心が外側に行く、また、遠心力を採用できる。よって、洗浄ブラシの回転時に、ブラシ片の根元部に比べて、洗浄側は重心が大となり折り重ね部を被洗浄面に接触する。また、折り重ね部が無い形態に比べて、より高い遠心力が発生する。また、折り重ね部の空隙部を複数有している。その為、空隙部が被洗浄面に確実に接触する事ができる。また、折り重ね部の空隙部のソフトな面と先端のエッジ部で交互に接触する為、より高い洗浄性があると共に、多くの掻き出し効果が発生する。【００３７】  第９の発明は、第１から第８のいずれか１項に記載の前記洗車機用洗浄ブラシのブラシ片が搭載されてある洗車機用ブラシとして使用することができるので、洗い残しの無い、高い洗浄性を有する洗車機用洗浄ブラシを提供できる。【００３８】  第１０の発明は、第９の発明の洗車機用洗浄ブラシが搭載されてある洗車機であり、駆動源、被洗浄面に散布する洗浄剤、水を噴出させるノズル、及び洗浄後の被洗浄面を乾燥させる乾燥手段を備えると共に、第９の発明の洗浄ブラシを備えたもので、搭載されてある洗浄ブラシは、軸体が回転してもブラシ外周径が安定し、ブラシ片の形状変形を抑制できる高い耐久性を有している為、洗車機は、被洗浄面に汚れ等が強固に付着している時でも、汚れを掻き出して強力に除去できる高い洗���性、及び耐久性を有する事ができる。【００３９】  以下、本発明の実施の形態について、図面を参照しながら説明する。尚、この実施の形態により本発明が限定されるものではない。
【実施例１】
【００４０】  図１から図１０にて実施例１を示す。図１（Ａ）は、本発明の洗車機用洗浄ブラシのブラシ片を正面から見た斜視図である。図１（Ｂ）は、本発明の他の実施の形態の洗車機用洗浄ブラシのブラシ片を一部破断した正面から見た斜視図である。図１（Ａ）、及び図１（Ｂ）において、１、７１はブラシ片、２、７２は布帛、３、７３は合成樹脂発泡体、４、７４は溶着部、６、７６は取付孔、８、７８は洗浄側である。図２は、図１（Ｂ）のブラシ片の断面図である。図３（Ａ）、及び図３（Ｂ）は、ブラシ片の空隙部状態を示す断面図である。図３（Ａ）、及び図３（Ｂ）において、１１、８１はブラシ片、１２、８２は布帛、１３、８３は合成樹脂発泡体、１４、８４は溶着部、１５、８５は空隙部である。図４は、概ヒダ形状のブラシ片を正面から見た斜視図である。図４において、２１はブラシ片、２２は布帛、２３は合成樹脂発泡体、２４は溶着部、２５は空隙部、２６は取付孔、２８は洗浄側である。図５は、他の実施の形態の概ヒダ形状のブラシ片を正面から見た斜視図である。図５において、３１はブラシ片、３２は布帛、３３は合成樹脂発泡体、３４は溶着部、３５は空隙部、３６は取付孔、３８は洗浄側である。図６は、スリット状のブラシ片を正面から見た斜視図である。４１はブラシ片、４２は布帛、４３は合成樹脂発泡体、４４は溶着部、４６は取付孔、４７はスリット部である。図７は、布帛表面の断面図である。図７において、１８は布帛、１９は起毛部、２０は基布である。図８は、折り重ね状のブラシ片を一部破断した正面から見た斜視図である。図８において、５１はブラシ片、５２は布帛、５３は合成樹脂発泡体、５４は溶着部、５５は空隙部、５６は取付孔、５８は洗浄側である。図９は、本発明の洗車機用洗浄ブラシの正面図である。図９において、６１はブラシ片、６２は樹脂ワッシャー、６３はリベット、６４は軸体、６５は組付孔、６６は洗車機用洗浄ブラシ、８６は取付孔である。図１０は、図９の側面図である。【００４１】  洗車機用洗浄ブラシのブラシ片１、７１は、図１、図２の如く、布帛２、７２、合成樹脂発泡体３、７３、溶着部４、７４、取付孔６、７６より構成されてある。ブラシ片１は、長方形形状からなり、布帛２が合成樹脂発泡体３を挟み込むように覆って、溶着部４にて布帛２と合成樹脂発泡体３とが圧着されて形成されてある。また、ブラシ片７１は、長方形形状からなり、布帛７２にて合成樹脂発泡体７３を覆って、溶着部７４にて布帛７２同士が圧着されて形成されてある。また、布帛７２と合成樹脂発泡体７３の間は密着するように形成されてある。【００４２】  ブラシ片１１、８１は、図３の如く、布帛１２、８２、合成樹脂発泡体１３、８３、溶着部１４、８４、空隙部１５、８５より構成されてある。ブラシ片１１は、長方形形状からなる合成樹脂発泡体１３の表面に合成樹脂発泡体１３及び、布帛１２にて概ヒダ形状に空隙部１５を形成するように溶着部１４にて圧着されて形成されてある。また、ブラシ片８１は、長方形形状からなる合成樹脂発泡体８３の表面に布帛８２のみにて概ヒダ形状に空隙部８５を形成するように溶着部８４にて圧着されて形成されてある。また、ブラシ片１１、８１は、ブラシ片１、７１の洗浄側８、７８の近傍に形成することができる。【００４３】  ブラシ片２１は、図４の如く、布帛２２、合成樹脂発泡体２３、溶着部２４、空隙部２５、取付孔２６より構成されてある。ブラシ片２１は、長方形形状からなり、布帛２２が合成樹脂発泡体２３を挟み込むように覆って、合成樹脂発泡体２３の表面に合成樹脂発泡体２３、及び布帛２２にて概ヒダ形状に空隙部２５を形成して、溶着部２４にて布帛２２と合成樹脂発泡体２３とが圧着されて形成されてある。【００４４】  ブラシ片３１は、図５の如く、布帛３２、合成樹脂発泡体３３、溶着部３４、空隙部３５、取付孔３６より構成されてある。ブラシ片３１は、長方形形状からなり、布帛３２が合成樹脂発泡体３３を挟み込むように覆って、合成樹脂発泡体３３の表面に布帛３２のみにて概ヒダ形状に空隙部３５を形成して、溶着部３４にて布帛３２と合成樹脂発泡体３３とが圧着されて形成されてある。【００４５】  ブラシ片４１は、図６の如く、布帛４２、合成樹脂発泡体４３、溶着部４４、取付孔４６、スリット部４７より構成されてある。ブラシ片４１は、長方形形状からなる合成樹脂発泡体４３を布帛４２にて覆って、溶着部４４にて圧着した後、スリット部４７が形成されてある。【００４６】  布帛１８は、図７の如く、布帛１８は、基布２０の表面に起毛部１９が形成されてある。【００４７】  ブラシ片５１は、図８の如く、布帛５２、合成樹脂発泡体５３、溶着部５４、空隙部５５、取付孔５６より構成されてある。ブラシ片５１は、長方形形状からなり、布帛５２が合成樹脂発泡体５３を挟み込むように覆って、折り重ね状に空隙部５５を形成して、溶着部５４にて布帛５２と合成樹脂発泡体５３とが圧着されて形成されてある。【００４８】  洗車機用洗浄ブラシ６６は、図９、図１０の如く、ブラシ片６１、樹脂ワッシャー６２、リベット６３、軸体６４、組付孔６５、取付孔８６より構成されてある。ブラシ片６１は、リベット６３に樹脂ワッシャー６２を嵌めて、取付孔８６に通して、軸体６４の組付孔６５にかしめて止めて形成されてある。【００４９】  次に、図４にて、ブラシ片２１の製造方法を説明する。まず、図４の如く、長方形形状に形成した合成樹脂発泡体２３に、同じく長方形形状の布帛２２で合成樹脂発泡体２３を挟み込むように合わせて、ブラシ片２１の洗浄側２８を最初に溶着部２４にて圧着する。次に、合成樹脂発泡体２３の表面に、合成樹脂発泡体２３、及び布帛２２にて概ヒダ形状の空隙部２５を形成するように布帛２２を弛ませて溶着部２４にて圧着して、複数の概ヒダ形状の空隙部２５を作製した後、残りの長辺部を溶着部２４にて圧着を行ない、取付用の取付孔２６を開けて形成する。【００５０】  次に、図５にて、ブラシ片３１の製造方法を説明する。まず、図５の如く、長方形形状に形成した合成樹脂発泡体３３に、同じく長方形形状の布帛３２で合成樹脂発泡体３３を挟み込むように合わせて、ブラシ片３１の洗浄側３８を最初に溶着部３４にて圧着する。次に、合成樹脂発泡体３３の表面に布帛３２のみにて概ヒダ形状の空隙部３５を形成するように布帛３２を弛ませて溶着部３４にて圧着して、複数の概ヒダ形状の空隙部３５を作製した後、残りの長辺部を溶着部３４にて圧着を��ない、取付用の取付孔３６を開けて形成する。【００５１】  次に、図６にて、ブラシ片４１の製造方法を説明する。まず、図６の如く、長方形形状に形成した合成樹脂発泡体４３に、同じく長方形形状の布帛４２で合成樹脂発泡体４３を覆うように合わせて、ブラシ片４１の周囲を溶着部４４にて圧着する。次に、スリット部４７の形成部に溶着部４４にて圧着した後、切れ目を入れる。次に、取付用の取付孔４６を開けて形成する。【００５２】  次に、図７にて、布帛１８の表面の説明をする。まず、図７の如く、布帛１８は、基布２０の表面に起毛部１９が形成されてある。【００５３】  次に、図８にて、ブラシ片５１の製造方法を説明する。まず、図８の如く、長方形形状に形成した合成樹脂発泡体５３に、同じく長方形形状の布帛５２で合成樹脂発泡体５３を挟み込むように合わせて、ブラシ片５１の洗浄側５８を最初に溶着部５４にて圧着する。次に、折り返して概ヒダ形状の空隙部５５を形成するように布帛５２を一重折りし溶着部５４にて圧着した後に折り返して、複数の重ね折り形状の空隙部５５を作製した後、残りの長辺部を溶着部５４にて圧着を行ない、取付用の取付孔５６を開けて形成する。【００５４】  次に、図９から図１０にて、洗車機用洗浄ブラシ６６の製造方法を説明する。まず、上記記載の図３から図８の如く、長方形形状に形成されたブラシ片１、１１、２１、３１、４１、５１、７１、８１のいずれか１つを用いる。次に、リベット６３に樹脂ワッシャー６２を嵌めて、取付孔８６に通して、軸体６４の組付孔６５にかしめて止めてある。【００５５】  次に、洗車機用洗浄ブラシ６６の洗浄時における、被洗浄面にたいするブラシ片１、１１、２１、３１、４１、５１、７１、８１の洗浄状態を説明する。まず、ブラシ片１は、図１（Ａ）の如く、布帛２にて合成樹脂発泡体３を挟み込むように覆って、溶着部４にて布帛２と合成樹脂発泡体３とが圧着されて形成されてある時には、被洗浄面にたいして、布帛２の面、及び先端のエッジ部と合成樹脂発泡体３の面にて接触することで、汚れを掻き出して強力に除去できる。また、ブラシ片７１は、図１（Ｂ）の如く、布帛７２にて合成樹脂発泡体７３を覆って、溶着部７４にて布帛７２同士が圧着されて形成されてある時には、ヒダ状の空隙部７５が被洗浄面に接触すると、空気層の空隙部７５が変形して、衝撃を吸収しソフトに接触させながら掻き出し効果が発生すると共に、被洗浄面にたいして、布帛７２の面と先端部で適度な弾力で柔軟な洗浄をさせることができる。【００５６】  また、ブラシ片１１は、図３（Ａ）の如く、合成樹脂発泡体１３の表面に合成樹脂発泡体１３、及び布帛１２にて概ヒダ形状に空隙部１５を形成するように溶着部１４にて圧着されて形成されてある時には、被洗浄体にたいして、空隙部１５が被洗浄面にソフトに接触すると共に、掻き出し効果が発生する。また、ブラシ片８１は、図３（Ｂ）の如く、合成樹脂発泡体８３の表面に布帛８２のみにて概ヒダ形状に空隙部８５を形成するように溶着部８４にて圧着されて形成されてある時には、被洗浄体にたいして、空隙部８５が被洗浄面にソフトに接触することでヒダ部の面と先端のエッジ部で接触する為、より多くの掻き出し効果が発生する。��００５７】  さらに、ブラシ片２１は、図４の如く、１つのブラシ片の中に少なくとも１つ以上の概ヒダ形状の空隙部２５が形成されてある時には、被洗浄体にたいして、ヒダ状空隙部２５が被洗浄面に連続して接触をする。また、ヒダ状の空隙部２５は、連続して変形し衝撃を吸収する。ことでキズを付ける事が無く掻き出し効果が発生する。さらに、ブラシ片３１は、図５の如く、１つのブラシ片の中に少なくとも１つ以上の布帛３２のみで概ヒダ形状の空隙部３５が形成されてある時には、被洗浄体にたいして、ヒダ状の空隙部３５が連続して被洗浄面に叩き付ける様に接触する。また、ヒダ形状は、被洗浄面上にて、自在に形状が変形する。その為、被洗浄面にたいして、ヒダ状の面と先端のエッジ部で交互に接触する為、より多くの掻き出し効果が発生する。【００５８】  さらに、ブラシ片４１は、図６の如く、前記ブラシ片４１の面にスリット部４７が形成されてある時には、スリット部４７の角部が被洗浄面に接触する。また、布帛４２と合成樹脂発泡体４３のいずれかの角部が接触する。また、柔軟な腰が発生して、ブラシ片４１のスリット部４７が被洗浄面にたいして、細部まで的確に接触させ好適な洗浄をさせることができる。【００５９】  また、布帛１８は、図７の如く、布帛１８は、基布２０の表面に起毛部１９が形成されたブラシ片１、１１、２１、３１、４１、５１、７１、８１が洗浄面にたいして、起毛部１９がソフトに接触させながら摩擦抵抗により掻き出し効果が発生させることができる。また、被洗浄面にたいする摩擦抵抗が上がることから、洗浄性の向上につながる。【００６０】  最後に、ブラシ片５１は、図８の如く、ブラシ片５１の洗浄側近傍に１列以上の折り重ね部を形成されてあり、前記折り重ね部の空隙部５５を複数有している。その為、前記空隙部５５が被洗浄面に確実に接触させる事ができる。また、折り重ね部の面と先端のエッジ部で交互に接触する為、より多くの掻き出し効果が発生する。【００６１】  実施例１の洗車機用洗浄ブラシ６１は、上記の如くの構成となっている為、ブラシ片１、７１は、合成樹脂発泡体３、７３の表面に布帛２、７２を密着するように形成されてある。その為、被洗浄面にたいして、ブラシ片１、７１の表面が被洗浄面に適度な弾力でソフトに接触をすることでキズを付ける事がない。また、ブラシ片１１、２１、３１、４１、５１、８１の長手方向にたいして空隙部１５、２５、３５、５５、８５又は、スリット部４７を有して形成されてある。その為、被洗浄面にたいして、ブラシ片１１、２１、３１、４１、５１、８１の空隙部１５、２５、３５、５５、８１又は、スリット部４７が被洗浄面に適度な弾力で柔軟な接触をすることでキズを付ける事がなく。また、空隙部１５、２５、３５、５５、８５の面と先端のエッジ部で交互に接触する為、より多くの掻き出し効果が発生する。又は、スリット部４７が被洗浄面にたいして、細部まで的確に接触させ適度な弾力で柔軟性のあるソフトで好適な洗浄をさせることができる。また、洗車時の軸体の回転時に洗車機用洗浄ブラシ６６の径が安定し、被洗浄面にたいして、的確に接触させる事ができる。その為、被洗浄面の汚れにたいして、洗い残しが無く、より細部の洗浄ができ���付着力の強い汚れを適格に落すことができる。【００６２】  実施例１の洗車機用洗浄ブラシ６６は、上記の如くの構成となっているが、ブラシ片１、１１、２１、３１、４１、５１、７１、８１等の形状については、概Ｎ字形状、概Ｍ字形状、概Ｕ字形状等も採用できる。また、空隙部１５、２５、３５、５５、８５等の形状以外にも様々な形状も採用できる。また、軸体６４にたいする取付け方法については、上記記載の方法以外にも、チャンネル方式も採用できる。また、ブラシ片１、７１又は、ブラシ片１１、２１、３１、４１．５１、８１等の両端部に、上記の空隙部１５、２５、３５、５５、８５又は、スリット部４７を形成して、概Ｕ字形状に折り曲げ軸体に装着する等の他の方法も採用できる。
【実施例２】
【００６３】  図１１にて実施例２を示す。図１１は、図９が搭載されてある洗車機の正面図である。図１１において、６６は洗車機用洗浄ブラシ、６７は洗車機、６８は駆動源、６９はノズル、７０は乾燥機である。【００６４】  洗車機６７は、請求項１から８のいずれか１項に記載の洗浄機用洗浄ブラシ６６が搭載されてあり、洗車機用洗浄ブラシ６６は駆動源６８により回転される。ノズル６９からは、被洗浄面にたいして、洗浄剤、及び水が散布され、洗車機用洗浄ブラシ６６により洗浄され、洗浄後は、乾燥機７０等の乾燥手段により被洗浄面が乾燥される。【００６５】  実施例２の洗車機６７は、上記の如くの構成となっているので、駆動源６８と、被洗浄面に散布する洗浄剤、及び水を噴出させるノズル６９と、洗浄後の被洗浄面を乾燥させる乾燥機７０等の乾燥手段を備えると共に、上記実施例１に記載の前記洗車機用洗浄ブラシ６６が搭載されてある。その為、前記洗車機用洗浄ブラシ６６は、上記の如く、被洗浄面にたいして、複数の空隙部が適度な弾力で柔軟性のある好適な接触させることができる為、洗車機６７は、被洗浄面に汚れ等が強固に付着している時でも汚れを掻き出して、強力に除去できる。
【産業上の利用可能性】
【００６６】  本発明の洗車機用洗浄ブラシのブラシ片及び洗車機は、主に、自動車あるいは車両の外面の被洗浄面に付着した汚れ等を洗浄する為の洗車機に搭載する洗浄ブラシ及び洗車機として使用する。
【図面の簡単な説明】
【００６７】
【図１】（Ａ）は、本発明の洗車機用洗浄ブラシのブラシ片を正面から見た斜視図（Ｂ）は、本発明の他の実施の形態の洗車機用洗浄ブラシのブラシ片を一部破断した正面から見た斜視図
【図２】図１（Ｂ）のブラシ片の断面図
【図３】（Ａ）及び（Ｂ）はブラシ片の空隙部状態を示す断面図
【図４】概ヒダ形状のブラシ片を正面から見た斜視図
【図５】他の実施の形態の概ヒダ形状のブラシ片を正面から見た斜視図
【図６】スリット状のブラシ片を正面から見た斜視図
【図７】布帛表面の断面図
【図８】折り重ね状のブラシ片を一部破断した正面から見た斜視図
【図９】本発明の洗車機用洗浄ブラシの正面図
【図１０】図９の側面図
【図１１】図９が搭載されてある洗車機の正面図
【符号の説明】
【００６８】  １、１１、２１、３１、４１、５１、６１、７１、８１  ブラシ片
２、１２、１８、２２、３２、４２、５２、７２、８２  布帛
３、１３、２３、３３、４３、５３、７３、８３  合成樹脂発泡体
４、１４、２４、３４、４４、５４、７４、８４  溶着部
６、２６、３６、４６、５６、７６、８６  取付孔
８、２８、３８、５８、７８  洗浄側
１５、２５、３５、５５、８５  空隙部
１９  起毛部    ２０  基布    ４７  スリット部
６２  樹脂ワッシャー    ６３  リベット    ６４  軸体
６５  組付孔    ６６  洗車機用洗浄ブラシ
６７  洗車機    ６８  駆動源
６９  ノズル    ７０  乾燥機
【図１】
2007204022.tif 000003
【図２】
2007204022.tif 000004
【図３】
2007204022.tif 000005
【図４】
2007204022.tif 000006
【図５】
2007204022.tif 000007
【図６】
2007204022.tif 000008
【図７】
2007204022.tif 000009
【図８】
2007204022.tif 000010
【図９】
2007204022.tif 000011
【図１０】
2007204022.tif 000012
【図１１】
2007204022.tif 000013